(57)【特許請求の範囲】
【請求項１】
装填紙葉類の種類が設定されている紙葉類カセットを脱着可能に有する紙葉類処理装置において、
紙葉類を鑑別する紙葉類鑑別部と、
当該紙葉類処理装置内部の各部間で紙葉類を搬送させる搬送部と、
上記紙葉類カセットの装填紙葉類のチェック指令を受け、上記紙葉類カセットに装填されている紙葉類を上記紙葉類カセットから繰り出して上記紙葉類鑑別部で鑑別させ、装填紙葉類の種類と、上記紙葉類カセットに設定されている紙葉類種類とを照合する装填紙葉類種類確認手段と
を有し、
上記装填紙葉類種類確認手段は、上記紙葉類鑑別部の鑑別による結果、上記紙葉類の種類を認識されたとき、上記紙葉類カセットからの上記紙葉類の繰り出しを止め、上記照合を行って、一連の処理を終了する
ことを特徴とする紙葉類処理装置。
【請求項２】
紙葉類鑑別部により鑑別された紙葉類を一時的に集積する一時保留部をさらに有し、
上記装填紙葉類種類確認手段は、上記紙葉類鑑別部の鑑別による結果、上記紙葉類の種類を認識されたとき、上記一時保留部に集積された上記紙葉類を、繰り出し元の上記紙葉類カセットに返却する
ことを特徴とする請求項１に記載の紙葉類処理装置。
【請求項３】
上記紙葉類カセットの装填紙葉類のチェック指令が外部装置から与えられ、上記装填紙葉類種類確認手段の照合結果を、上記外部装置に与えることを特徴とする請求項１又は２に記載の紙葉類処理装置。
【請求項４】
上記装填紙葉類種類確認手段による照合結果を表示出力する表示部をさらに有することを特徴とする請求項１〜３のいずれかに記載の紙葉類処理装置。
【請求項５】
上記紙葉類が紙幣であり、上記装填紙葉類種類確認手段が、装填紙幣の金種と、上記紙葉類カセットに設定されている紙幣金種とを照合することを特徴とする請求項１〜４のいずれかに記載の紙葉類処理装置。
【発明の詳細な説明】
【技術分野】
【０００１】
本発明は紙葉類処理装置に関し、例えば、金融機関（消費者金融、銀行など）の営業店カウンタなどに設置される窓口用紙幣入出金機に適用し得るものである。
【背景技術】
【０００２】
従来の窓口用紙幣入出金機は、上位のカウンタテラー端末に接続され、その指示によって入金紙幣を取り込んだり、出金紙幣を排出したり、紙幣を計数したりなどするものである。
【０００３】
例えば、紙幣入出金機からの出金の場合には、上位のカウンタテラー端末から指定された金種、枚数の紙幣を該当する金種別紙幣カセットから１枚ずつ順次繰り出させ、繰り出された紙幣を紙幣鑑別部で紙幣鑑別し、正常判定の場合には出金口に集積され、異常判定の場合にはリジェクト庫ヘリジェクト紙幣として蓄積させる。ここで、正常判定だが、実際に紙幣カセットから繰出した紙幣の金種が、期待している金種（紙幣カセットに設定している金種）と異なる場合が規定回数発生した場合には、その紙幣カセットを異金種紙幣が装填されているカセットと確定し、以後、その紙幣カセットからは繰り出しを行わないようにしている。
【０００４】
また、紙幣入出金機に紙幣を補充する１つの方法として、金種別紙幣カセットを入出金機本体から離脱させ、離脱させた金種別紙幣カセットに該当する金種の紙幣を補充して入出金機本体に装着し、若しくは、離脱させた金種別紙幣カセットに代えて既に用意されている補充紙幣が充填されている金種別紙幣カセットを入出金機本体に装着する「カセット交換補充」がある（特許文献１参照）。
【先行技術文献】
【特許文献】
【０００５】
【特許文献１】特開２００８−０５９４７２
【発明の概要】
【発明が解決しようとする課題】
【０００６】
上述したように、紙幣入出金機では、紙幣の出金時に、金種別紙幣カセットから繰り出された紙幣の鑑別結果の金種が繰出し元の金種別紙幣カセットに設定されている金種と異なる場合、それ以降、その金種別紙幣カセットからの繰り出しを行なわず、すなわち、運用時にそのカセットを使用しないこととしている。
【０００７】
上述したカセット交換補充では、金種別紙幣カセットへの紙幣装填は人間が行うので、人為ミスの発生の恐れがある。異なる金種の紙幣が装填された紙幣カセットが入出金機本体に装着され、上述したように、その紙幣カセットから紙幣が繰出されると、当該紙幣カセットが運用時に使用しないものとされ、紙幣入出金機の機能や処理が大幅に制限される。しかも、紙幣カセットの入出金機本体への装着と、その紙幣カセットからの紙幣繰出しとにタイムラグがあると、このような不都合の発生原因も直ちには認識し得ない。
【０００８】
そのため、装填紙葉類の種類が設定されている紙葉類カセットに、実際に装填されている紙葉類の種類を確認できる紙葉類処理装置が求められている。
【課題を解決するための手段】
【０００９】
第１の本発明は、装填紙葉類の種類が設定されている紙葉類カセットを脱着可能に有する紙葉類処理装置において、（１）紙葉類を鑑別する紙葉類鑑別部と、（２）当該紙葉類処理装置内部の各部間で紙葉類を搬送させる搬送部と、（３）上記紙葉類カセットの装填紙葉類のチェック指令を受け、上記紙葉類カセットに装填されている少なくとも１枚の紙葉類を上記紙葉類カセットから繰り出して上記紙葉類鑑別部で鑑別させ、装填紙葉類の種類と、上記紙葉類カセットに設定されている紙葉類種類とを照合する装填紙葉類種類確認手段とを有し、（４）上記装填紙葉類種類確認手段は、上記紙葉類鑑別部の鑑別による結果、上記紙葉類の種類を認識されたとき、上記紙葉類カセットからの上記紙葉類の繰り出しを止め、上記照合を行って、一連の処理を終了することを特徴とする。
【発明の効果】
【００１１】
本発明によれば、紙葉類カセットに、実際に装填されている紙葉類の種類が、紙葉類カセットに設定されている紙葉類の種類と一致するか確認することができる。
【図面の簡単な説明】
【００１２】
【図１】実施形態に係る紙幣入出金機の各部の配置を、一方の側板を取り外して見た概略側面図である。
【図２】実施形態に係る紙幣入出金機の制御構成を示すブロック図である。
【図３】実施形態に係る紙幣入出金機における紙幣カセットの金種チェック動作を示すフローチャートである。
【発明を実施するための形態】
【００１３】
（Ａ）主たる実施形態
以下、本発明による紙葉類処理装置の一実施形態を、図面を参照しながら説明する。実施形態の紙葉類処理装置は、窓口用の紙幣入出金機である。
【００１４】
（Ａ−１）実施形態の構成
図１は、実施形態に係る紙幣入出金機の各部構成の配置を、一方の側板を取り外して見た概略側面図である。
【００１５】
図１において、実施形態に係る紙幣入出金機１は、入金口１１、出金口１２、一時保留部１３、紙幣鑑別部１４、搬送部１５、複数（図１のものは４個）の金種別紙幣カセット１６−１〜１６−４、リジェクト庫付き紙幣カセット１７、表示部１８などを有する。
【００１６】
入金口１１は、オペレータ（一般的にはテラーがオペレータとなる）が紙幣を投入する口であり、束で投入された紙幣を一枚ずつ繰り出す分離機能を有する。出金口１２は、オペレータが紙幣を受け取る口であり、紙幣の集積機能を有する。
【００１７】
紙幣鑑別部１４は、１枚ずつ通過していく紙幣の鑑別を行うものである。紙幣鑑別部１４は、紙幣の進行方向がいずれの方向（双方向）でも鑑別できるものである。紙幣の鑑別は、正常判定とリジェクト判定に分かれており、正常判定では金種も特定し、リジェクト判定する基準は、真偽の他に汚損、損壊、外形異常等がある。
【００１８】
一時保留部１３は、入金された紙幣のうち、正常判定された紙幣を一時的に蓄積する部位であり、紙幣の集積と分離の両方の機能を有する。
【００１９】
各金種別紙幣カセット１６（１６−１〜１６−４）は、紙幣を金種毎に収納可能なカセットである。金種別紙幣カセット１６は、入金紙幣を収納し、出金紙幣を繰り出すことを可能として、紙幣の集積と分離の両方の機能を有する。また、金種別紙幣カセット１６は、カセットのため、紙幣入出金機本体からの着脱が可能である。
【００２０】
リジェクト庫付き紙幣カセット１７は、金種別紙幣カセット１６−１〜１６−４と同様に紙幣を収納可能なカセットであるが、底部にリジェクト紙幣を収納するリジェクト庫を持つ。リジェクト庫付き紙幣カセット１７における上側の収納庫１７ａは、他の紙幣カセット１６−１〜１６−４と同様に、紙幣の集積と分離の両方の機能を有するが、リジェクト庫１７ｂは集積機能のみを有する。また、リジェクト庫付き紙幣カセット１７は、カセットのため、紙幣入出金機本体からの着脱が可能である。
【００２１】
図１は、金種別紙幣カセット１６−１〜１６−４及びリジェクト庫付き紙幣カセット１７がカセット支持部１９に支持されている例を示しており、カセット支持部１９毎、紙面の法線方向に引き出すことができ、その引き出した状態でカセットを離脱若しくは装着することができる。
【００２２】
搬送部１５は、上述した各部をつないで、後述する制御部２０の制御下で、ある箇所から他の箇所へ紙幣を搬送するものである。
【００２３】
紙幣が移動する入金口１１、出金口１２、一時保留部１３、搬送部１５、金種別紙幣カセット１６−１〜１６−４、リジェクト庫付き紙幣カセット１７などには、紙幣の位置や分離状態や集積状態などを検知するセンサが設けられており、また、モータやソレノイドなどの駆動源やその伝達構成などが設けられている。
【００２４】
表示部１８は、後述する制御部２０の制御下で、当該紙幣入出金機１の状態などを表示するものである。窓口用の紙幣入出金機１は、上位のカウンタテラー端末に接続されて用いられるものであり、オペレータは、必要な操作をカウンタテラー端末に対して行うので、紙幣入出金機１には操作部は設けられていない。
【００２５】
図２は、実施形態に係る紙幣入出金機１の制御構成を示すブロック図であり、上述した図１との同一部分には同一符号を付して示している。
【００２６】
紙幣入出金機１は、制御部２０、上位インタフェース２１、Ｉ／Ｏインタフェース回路２２、プログラムメモリ２３及びワーキングメモリ２４などを有する。
【００２７】
制御部２０は、例えば、主にマイクロコンピュータなどで構成されており、当該紙幣入出金機１の動作全体を制御するものである。上位インタフェース２１は、上位のカウンタテラー端末から受けた指令を、制御部２０へ伝えると共に、この制御部２０から出された指令の実行結果を上位のカウンタテラー端末に返信したり、制御部２０から上位のカウンタテラー端末に向けた情報を上位のカウンタテラー端末に送信したりするものである。Ｉ／Ｏインタフェース回路２２は、当該紙幣入出金機１の機構部内の構成要素に関連したセンサの検出結果を読み取って、これを紙幣入出金装置制御部４０へ伝達したり、この紙幣入出金装置制御部４０からの命令で各種モータやソレノイド等のアクチュエータ類を作動させる信号や駆動電源を機構部に出力したりするための回路である。Ｉ／Ｏインタフェース回路２２は、表示部１８に対する出力インタフェースを行うものであり、また、紙幣鑑別部１４からの入出力インタフェースを行うものである。プログラムメモリ２３は、例えば、ＲＯＭ（リードオンリメモリ）が該当し、マイクロコンピュータが実行するプログラム（実施形態に係る紙葉類処理プログラム（図３参照）２３ａを含む）を記憶しているものである。ワーキングメモリ２４は、例えば、ＲＡＭ（ランダムアクセスメモリ）が該当し、マイクロコンピュータを動作させるのに必要な情報を一時的に記憶するものである。
【００２８】
（Ａ−２）実施形態の動作
次に、実施形態に係る紙幣入出金機１の特徴動作を、図面を参照しながら説明する。
【００２９】
実施形態に係る紙幣入出金機１は、紙幣カセットに関する金種チェック機能を実現するプログラム２３ａが搭載されていることを特徴としている。この紙幣カセットに関する金種チェック機能は、オペレータの指示により、紙幣カセットの設定金種と、紙幣カセット内に装填されている紙幣の金種とを照合するものである。この紙幣カセットに関する金種チェック機能は、上位のカウンタテラー端末からの指示により、紙幣入出金機１が動作可能状態であればいつでも実行可能であるが、運用前やカセット交換補充の直後に行うようにすることで、仮に、紙幣カセットの設定金種と紙幣カセットに実際に装填されている紙幣金種とが異なっていても、そのことをオペレータは運用前に気付くことができる。
【００３０】
図３は、紙幣入出金機１における紙幣カセットに関する金種チェック動作を示すフローチャートである。
【００３１】
オペレータが、上位のカウンタテラー端末２に対し、紙幣カセットを特定した紙幣カセットの金種チェック機能を要求すると、カウンタテラー端末２から紙幣入出金機１に対して、紙幣カセットを特定した金種チェック指示が与えられ、この指示を受信することにより（ステップ２００）、紙幣入出金機１の制御部２０は、図３に示す処理を開始する。
【００３２】
制御部２０は、複数の金種別紙幣カセット１６−１〜１６−４のうち、金種チェック指示が特定している紙幣カセット１６−ｘから搬送部１５へ紙幣を１枚だけ繰出させ（ステップ２０１）、繰出された紙幣を紙幣鑑別部１４によって鑑別させ（ステップ２０２）、金種を認識し得たか否かを判別する（ステップ２０３）。
【００３３】
この鑑別により金種を認識し得ない場合には、制御部２０は、リトライ回数が予め定められている上限回数（例えば１回）を越えたか否かを判別し（ステップ２０４）、上限回数を超えていない場合には、金種が認識されなかった紙幣を搬送部１５によって一時保留部１３に送り込んで集積させた後（ステップ２０５）、上述した紙幣カセット１６−ｘからの紙幣の繰出し処理（ステップ２０１）に戻る。例えば、紙幣が重送状態や斜行状態で繰出された場合は鑑別で金種を認識し得ない場合とし、繰出された紙幣の汚損、損壊、外形異常などが閾値以上の場合には、鑑別で金種を認識し得ない場合と扱うようにしても良い。
【００３４】
制御部２０は、紙幣鑑別部１４による鑑別で繰出された紙幣の金種が認識されたときには、認識した紙幣金種（の情報）をワーキングメモリ２４に保存する（ステップ２０６）。その後、制御部２０は、金種が認識された紙幣を搬送部１５によって一時保留部１３に送り込んで集積させ（ステップ２０７）、一時保留部１３から全ての紙幣を搬送部１５に１枚ずつ繰出させ（ステップ２０８）、搬送部１５から、チェック対象の紙幣カセット、言い換えると、チェックのために紙幣を繰り出した紙幣カセット１６−ｘに戻し、集積させる（ステップ２０９）。
【００３５】
そして、制御部２０は、プログラムメモリ２３又はワーキングメモリ２４に固定データとして記憶されている、チェック対象の紙幣カセット１６−ｘについての設定金種と、繰り出した紙幣の鑑別で得た紙幣金種とを比較し（ステップ２１０）、得られた比較結果を、上位のカウンタテラー端末２に対して返信すると共に、表示部１８に所定時間だけ表示させ（ステップ２１１）、図３に示す一連の処理を終了する。
【００３６】
チェック対象の紙幣カセット１６−ｘからの紙幣繰出し（リトライ）を上限回数実行しても、繰出し紙幣の金種が得られなかった場合には、制御部２０は、一時保留部１３から全ての紙幣を搬送部１５に１枚ずつ繰出させ（ステップ２１２）、搬送部１５から、チェック対象の紙幣カセット、言い換えると、チェックのために紙幣を繰り出した紙幣カセット１６−ｘに戻し、集積させた後（ステップ２１３）、リトライオーバによるエラーの旨を、上位のカウンタテラー端末２に対して返信すると共に、表示部１８に所定時間だけ表示させ（ステップ２１４）、図３に示す一連の処理を終了する。
【００３７】
（Ａ−３）実施形態の効果
上記実施形態によれば、紙幣カセット内の紙幣金種のチェック機能を設けたことにより、紙幣カセット設定金種と、紙幣カセットに実際に装填されている紙幣の金種を比較し、その結果をオペレータに通知することができる。その結果、カセット交換補充などで発生した、紙幣カセットの設定金種と装填紙幣金種の相違に、オペレータは事前に気付くことができ、運用中に紙幣カセットが使えなくなることを未然に防止することができる。
【００３８】
（Ｂ）他の実施形態
上記実施形態では、上位のカウンタテラー端末２に対して、オペレータが金種チェックを要求することでチェックを開始するものを示したが、他の事象をトリガとして金種チェックを開始するようにしても良い。例えば、オペレータが、上位のカウンタテラー端末２に対して紙幣カセットを交換したことを入力し、上位のカウンタテラー端末２が、この入力に応じた処理の中で、金種チェックを紙幣入出金機１に要求するようにしても良い。また例えば、紙幣カセット１６−ｘの離脱、装着を検知するセンサを設け、このセンサが新たな装着を検知したときに、紙幣入出金機１の制御部２０が、新たに装着された紙幣カセット１６−ｘを対象として自動的に紙幣金種のチェックを開始するようにしても良い。この場合のチェック結果を、紙幣入出金機１だけに出力しても良く、紙幣入出金機１及び上位のカウンタテラー端末２に出力するようにしても良い。
【００３９】
上記実施形態では、チェック結果（比較結果）を紙幣入出金機１が表示出力するものを示したが、紙幣入出金機１がブザーを有し、かつ、一致しないというチェック結果の場合には、ブザーを鳴動させるようにしても良い。
【００４０】
上記実施形態では、紙幣カセット内の１枚の紙幣の金種によって、設定金種との一致不一致を判断するものを示したが、紙幣カセット内の複数枚（例えば２枚）の金種を得て、それら複数枚の紙幣の金種が全て、設定金種と一致するか否かを判別するようにしても良い。このような複数枚の紙幣で確認する場合において、一時保留部１３を有効に利用し、紙幣カセット１６−ｘ内での集積位置が離れた紙幣をチェックに用いるようにしても良い。例えば、２枚をチェックに用いる場合において、最上位の紙幣と、上側から数えて５０枚目の位置の紙幣の金種をチェックに利用するようにしても良い。
【００４１】
上記実施形態では、チェック結果を単に出力するものを示したが、これに加え、チェック結果が他の処理を起動させるようにしても良い。例えば、紙幣カセット内の紙幣金種と、紙幣カセットの設定金種とが不一致の場合には、自動的に、他の紙幣カセットに対する紙幣金種のチェックを開始するようにしても良い。例えば、万円券用の紙幣カセットに千円券が収納されている場合、千円券用の紙幣カセットに万円券が収納されている恐れもある。また例えば、紙幣カセット内の紙幣金種と紙幣カセットの設定金種とが不一致の場合において、チェックされた紙幣カセット内の全ての紙幣を、鑑別した上で、紙幣金種を設定金種としている他の紙幣カセットに移す処理を行うようにしても良い。
【００４２】
上記実施形態では、金種を読取れないリトライオーバエラーが、金種の比較結果のいずれかを出力するものを示したが、さらに、リトライオーバエラーと区別して未装填エラーを出力するようにしても良い。「カセット交換補充」に似た処理として、「カセット交換回収」がある。「カセット交換回収」は、紙幣入出金機１から紙幣カセットを外して回収業務を行なう方法である。回収後の紙幣カセットを紙幣入出金機１に装着しないで保管することもあれば、回収後の紙幣カセットを紙幣入出金機１に装着することもある。そのため、何らかの原因で、紙幣が装填された紙幣カセットではなく、紙幣が空の紙幣カセットが紙幣入出金機１に装着される恐れがあり、このような異常をも区別して出力することは好ましい。
【００４３】
上記実施形態では、金種鑑別のために紙幣カセットから繰り出された紙幣を繰出し元の紙幣カセットの戻すものを示したが、設定金種と紙幣金種とが異なる場合には、繰り出された紙幣を、紙幣金種を設定金種としている紙幣カセットに集積させるようにしても良い。
【００４４】
上記実施形態では、上位のカウンタテラー端末２から金種チェックが要求されると直ちにチェックを開始するものを示したが、紙幣カセット１６−ｘが新たに装着された以降、この要求時点までに１枚の紙幣の繰出しも行われていないことを条件としてチェックを開始するようにしても良い。
【００４５】
上記実施形態では、窓口用の紙幣入出金機に本発明を適用したものを示したが、本発明の適用対象が窓口用の紙幣入出金機に限定されないことは勿論である。例えば、自動取引装置（いわゆるＡＴＭ）に対しても本発明を適用することができる。また、紙葉類も紙幣に限定されず、商品券その他の紙葉類であっても良い。
【００４６】
上記実施形態では、金種別紙幣カセットが収納、繰出しの双方が可能なものを示したが、繰出しのみできる紙幣カセットに対しても、紙幣金種のチェックを行うようにしても良い。例えば、出金専用のＡＴＭに装着される紙幣カセットのチェックを行うようにしても良い。この場合、金種鑑別のために紙幣カセットから繰り出された紙幣を、例えば、リジェクト紙幣の収納部へ集積させるようにすれば良い。
【符号の説明】
【００４７】
１…紙幣入出金機、２…カウンタテラー端末、１３…一時保留部、１４…紙幣鑑別部、１５…搬送部、１６−１〜１６−４…金種別紙幣カセット、１８…表示部、２０…制御部、２１…上位インタフェース、２２…Ｉ／Ｏインタフェース回路、２３…プログラムメモリ、２４…ワーキングメモリ。
【図１】
0006024100.tif 000002
【図２】
0006024100.tif 000003
【図３】
0006024100.tif 000004